(57)【要約】      （修正有）【課題】排水が通過付着するあらゆる部分において、排水の除去を簡易に実現し、電気を必要とせず常に衛生的な移動式手洗器を提供する。【解決手段】水受け器６は水受け器設置具６ａにより固定されることなく保持され、手で簡単に持ち上げられるようになっており手軽に拭ける。未使用時には排水受け貯め器７に排水受け貯め器用のフタ７ａで密閉する。排水受け貯め器７は間口が大きく排水の処分、清掃が簡単である。または排水は凝固剤を使って固めることにより排水の汚臭や飛び散りを防ぐことができ、ゴミとして簡単に処分することが可能となる。さらに、排水側のフタ２と給水側のフタ３を収納ボックス１の上に重ね給水タンク５を設置し、給水タンク５の蛇口だけで止水調整するため電気が不要である。【選択図】図１
0003211230.tif 000002
【実用新案登録請求の範囲】
【請求項１】
排水処理が簡易で衛生的な状態を保つことが可能な、排水用ホースがなく電気を必要としない移動式手洗器であって、
手動栓による止水調整が可能な蛇口を備えた給水タンクと、
当該給水タンクの蛇口から出た水が排水口に集まるように形成され、当該水を受け貯めて排水口から下方に流す水受け器と、
当該排水口から流れ落ちた水を受け貯めておける上方開口の排水受け貯め器と、
少なくとも当該給水タンク、当該水受け器及び当該排水受け貯め器を収納可能な収納ボックスと、
当該収納ボックスの上部に配置される排水側のフタ及び給水側のフタと、
を備えたことを特徴とする移動式手洗器。
【請求項２】
排水処理が簡易で衛生的な状態を保つことが可能な、排水用ホースがなく電気を必要としない移動式手洗器であって、
手動栓による止水調整が可能な蛇口を備えた給水タンクと、
当該給水タンクの蛇口から出た水が排水口に集まるように形成され、当該水を受け貯めて排水口から下方に流す水受け器と、
当該水受け器が水を貯めておくことを可能とし、また、未使用時は付着している水滴が排水口から流れ落ちないように止めておく、排水口に取り付け可能な排水栓と、
当該排水口から流れ落ちた水を排水用ホースを介さずにこぼさず受け貯められるように、水受け器の下方に近接して配置された上方開口の排水受け貯め器と、
当該排水受け貯め器の内容物あるいはその臭いを外部に出さないように密着して上方開口を封じる排水受け貯め器用のフタと、
当該給水タンク、当該水受け器及び当該排水受け貯め器を収納可能な収納ボックスと、
当該収納ボックスの上部に配置された、水受け器と排水受け貯め器が収納された側にある排水側のフタと、給水タンクが収納された側にある給水側のフタと、
当該排水口から流れ落ちた水をこぼさないように、当該排水受け貯め器の上側に当該水受け器を近接させて固定し、さらには当該水受け器を容易に取り外せるように収納ボックスに設置支持する水受け器設置具とを備え、
排水側のフタと給水側のフタとを重ねることが可能であり、
さらに、排水側のフタ、給水側のフタ又は重ね合わせた両方のフタの上に、当該給水タンクを設置可能とする移動式手洗器。
【考案の詳細な説明】
【技術分野】
【０００１】
本考案は移動式手洗器、詳しくは給水タンク、水受け器及び排水受け貯め器とを備えた移動式手洗器に関する。
【背景技術】
【０００２】
移動可能な手洗器は、蛇口のついたタンクあるいはポンプを利用した給水方式が考案されていた。
例えば、引用文献１では、給水タンク及び排水ポリタンク等の載置するワゴンを有し、このワゴン本体の下部にキャスタを備えて移動させることが可能な移動式手洗いユニットの提案がなされている。この提案では、さらに手持ち交換自在な排水受け貯め用ポリタンクを備えており、給水から排水まで一体となって利用可能な設備を備えた移動式手洗いユニットを実現している。
【先行技術文献】
【特許文献】
【０００３】
【特許文献１】実登２５３６５８３号公報
【考案の概要】
【考案が解決しようとする課題】
【０００４】
実登２５３６５８３号で提案されている移動式手洗いユニットでは、給水ポンプを利用して給水を行うため当該給水ポンプを駆動するための電気が必要である。また、排水タンクに貯まった排水について、当該排水の臭いが発生すること、さらに当該排水を除去した後に排水タンクからの汚臭防止や排水タンクと周辺の衛生維持の観点から、十分な清掃が必要である。しかしながら、従来の移動式手洗器では、清掃の簡易化および効率化が十分にはなされていなかった。
【課題を解決するための手段】
【０００５】
本考案では、排水が通過付着するあらゆる部分において、排水の除去を簡易に実現し、電気を必要とせず常に衛生的な移動式手洗器を提供する。排水が通過付着する部分として、排水を受ける水受け器、パイプにつながる水受け器の排水口、排水口に接続される排水パイプ、排水受け貯め器の各部分を対象に、排水の除去あるいは清掃の簡易化を実現する。
まず、水受け器と排水口は直接雑巾などで拭くことが可能である。さらに、飲み残しなどの汚水は、当該水受け器を簡単に外して直接排水受け貯め器に流すことで、水受け器と排水口を不必要に汚さないでよい。
【０００６】
次に、これまでの移動式手洗器の排水パイプでは、排水口から排水受け貯め器への通路として、数十センチメートルから１メートル程度のパイプを使っていた。また、蛇腹に変形するものもあり、パイプ内の清掃には変形可能な清掃道具をパイプ内に通すか、液状の洗浄剤をパイプ内に通すことによって清掃を行っていた。
【０００７】
この清掃作業を利用の都度実施するのは利用者の負担となるため、ある程度の時間放置されることがある。そのため、本考案では排水パイプを用いないことでこれらの問題を払拭し、排水口から直接排水受け貯め器に流すことが可能な構造とする。
【０００８】
排水受け貯め器は排水をこぼさず貯える必要があるため、これまでは排水パイプを排水受け貯め器の上面に形成された、排水パイプの直径よりも一回り大きい程度の口に穴の開いた蓋を装着し、その穴に排水パイプを差し込み排水を貯めていた。排水を取り除く際には、排水パイプを排水受け貯め器の口から抜き取り、当該蓋を穴の開いていないものに付け替え、排水受け貯め器内の排水がこぼれないようにし、排水が処分できるところまで排水受け貯め器を移動させ排水を取り除いていた。しかし、排水受け貯め器には排水が蓄積されていたため、排水を取り除いたとしても、排水受け貯め器の内部や排水が流れていた排水パイプの内部には排水による汚れや臭いが付着してしまっていた。
【０００９】
また排水を取り除くために、当該排水受け貯め器の口に装着された排水パイプを抜き取る際にも、この周囲に排水が飛び散るという問題が生じる。さらに、当該排水受け貯め器の口は排水パイプを取り付けているために、構造上狭くなっていることが多く、直接排水受け貯め器の中に手を入れて清掃することが難しい。
【００１０】
そこで本考案では、排水受け貯め器に手が入る程度あるいはそれ以上の間口を上方に向けて備え、水受け器の排水口からの排水を受け貯められるようにし、排水を取り除く際は当該間口から取り除き、さらに直接手を入れて清掃可能とする。当該間口は排水利用時以外は密閉できるようにする。
【００１１】
あるいは、排水受け貯め器に耐水性のあるビニール袋を被せて当該ビニール袋の中に凝固剤を入れておき、排水口から流れ落ちる排水を当該ビニール袋の中に受け貯め、排水を凝固させることにより、臭いの発生を最低限に抑えることが可能であり、また使用後も袋を密閉して袋ごと処分すれば、排水受け貯め器や周辺を汚すことがなくなる。さらには、収納ボックスの上に着座することも可能である。
【００１２】
本考案では、手軽に持ち運びできる移動可能な手洗器を提供するために、給水タンクとしてはキャンプや非常用として提供されている構造と同様に電気を必要としないで利用可能なものを採用する。また給水および排水に関わる必要器具の一式を１つの収納ボックスに収めて手軽に持ち運び可能とする。さらに、当該収納ボックスを利用して、本考案による給水および排水受け貯め器を簡易に構築する。
【００１３】
このような目的を達成するため、本考案では、排水処理が簡易で衛生的な状態を保つことが可能な、排水用ホースがなく電気を必要としない移動式手洗器、すなわち、手動栓による止水調整が可能な蛇口を備えた給水タンクと、当該給水タンクの蛇口から出た水が排水口に集まるように形成され、当該水を受け貯めて排水口から下方に流す水受け器と、当該排水口から流れ落ちた水を受け貯めておける上方開口の排水受け貯め器と、少なくとも当該給水タンク、当該水受け器及び当該排水受け貯め器を収納可能な収納ボックスと、当該収納ボックスの上部に配置される排水側のフタ及び給水側のフタと、を備えたことを特徴とする移動式手洗器を提供する。
【００１４】
あるいは、排水処理が簡易で衛生的な状態を保つことが可能な、排水用ホースがなく電気を必要としない移動式手洗器であって、
手動栓による止水調整が可能な蛇口を備えた給水タンクと、当該給水タンクの蛇口から出た水が排水口に集まるように形成され、当該水を受け貯めて排水口から下方に流す水受け器と、当該水受け器が水を貯めておくことを可能とし、また、未使用時は付着している水滴が排水口から流れ落ちないように止めておく、排水口に取り付け可能な排水栓と、当該排水口から流れ落ちた水を排水用ホースを介さずにこぼさず受け貯められるように、水受け器の下方に近接して配置された上方開口の排水受け貯め器と、当該排水受け貯め器の内容物あるいはその臭いを外部に出さないように密着して上方開口を封じる排水受け貯め器用のフタと、当該給水タンク、当該水受け器及び当該排水受け貯め器を収納可能な収納ボックスと、当該収納ボックスの上部に配置された、水受け器と排水受け貯め器が収納された側にある排水側のフタと、給水タンクが収納された側にある給水側のフタと、当該排水口から流れ落ちた水をこぼさないように、当該排水受け貯め器の上側に当該水受け器を近接させて固定し、さらには当該水受け器を容易に取り外せるように収納ボックスに設置支持する水受け器設置具とを備え、排水側のフタと給水側のフタとを重ねることが可能であり、
さらに、排水側のフタ、給水側のフタ又は重ね合わせた両方のフタの上に、当該給水タンクを設置可能とする移動式手洗器を提供する。
【考案の効果】
【００１５】
本考案によれば、排水による汚臭を防ぎ、簡易に構築可能で電気を必要としない移動式手洗器を提供することが可能となる。
【図面の簡単な説明】
【００１６】
【図１】本考案の第一の実施例による利用時形態概略図である。
【図２】図１における上部からの上面図である。
【図３】本考案の第一の実施例による収納時形態概略図（側面）である。
【図４】本考案の第一の実施例による収納時形態概略図（排水側からの側面）である。
【図５】本考案の第一の実施例による収納時形態概略図（フタなし上部）である。
【図６】本考案の第一の実施例による収納時形態概略図（フタあり上部）である。
【図７】排水受け貯め器にビニール袋と凝固剤を配置した収納時形態概略図である。
【考案を実施するための形態】
【００１７】
本考案を実施例でもって説明する。
【実施例】
【００１８】
本考案の実施例を図面に基づいて以下に説明する。図１は第一の考案を表す実施例による利用時概略図であり、図２は図１における上部からの上面図である。
また、図３、４、５、６は図１で示す実施例の収納時概略図である。収納時は、収納ボックス１の中に、給水タンク５、水受け器６、排水受け貯め器７が配置され、給水タンク５の横に仕切り板４を配置して各部品を固定している。図３は収納時の側面からの形態概略図、図４は水受け器６及び排水受け貯め器７側からの形態概略図、図５は排水側のフタ２および給水側のフタ３を外した場合の上部からの形態概略図、図６は排水側のフタ２および給水側のフタ３を設置した場合の上部からの形態概略図である。
【００１９】
また水受け器６は、排水受け貯め器７の上部に近接して配置され、水受け器６を手で持って簡単に持ち上げられるように設置可能とする。例えば図３では、収納ボックス１内の対面する２面に棒状の水受け器設置具６ａを装備し、水受け器６を引っかけて置けるように構成している。水受け器６は、収納ボックス１、排水受け貯め器７又は排水受け貯め器用のフタ７ａの１つ、あるいは複数により固定されることなく保持される。
【００２０】
図６のように、収納ボックス１には当該収納ボックス１の上に２枚の収納フタが備えてある。１枚の収納フタは水受け器６と排水受け貯め器７が収納された側に配置された排水側のフタ２、もう１枚は給水タンク５が収納された側に配置された給水側のフタ３である。給水側のフタ３を開けて、収納ボックス１から給水タンク５を取り出すことができる。給水側のフタ３は収納ボックス１の給水側の上の元の位置に戻す。排水側のフタ２を図１のとおり給水側のフタ３側に向けて開くと、給水側のフタ３に重ねて使用できる。
【００２１】
この重ねられたフタの上に取り出した給水タンク５を蛇口を水受け器６に向けて載せ固定する。固定する方法は限定しないが、例えば、粘着性のあるテープを排水側のフタ２と給水タンク５に装着する、給水タンク５と収納ボックス１をベルトで固定する、といった方法がある。
給水タンク５の蛇口の下には、水受け器６が手で簡単に持ち上げられるように収納ボックス１の中に配置されている。図２、３、４に示すように、水受け器６には、水受け器６の水を排水する排水口８と排水口８からの排水を止める排水栓８ａが備えてある。当該排水口８の下には排水口８から流れ出る排水を受け貯めることが可能な排水受け貯め器７が配置される。
【００２２】
排水受け貯め器７は、排水口８からの排水を漏らさず受け貯められるよう上方に間口を設ける。間口は手を入れて清掃できる程度の大きさを有し、未使用時は図３、４のように排水受け貯め器用のフタ７ａにより密閉できるように間口をふさぐ構造とする。あるいは排水受け貯め器７は、上方を広く間口を開けて簡単に拭くことを可能とする。排水受け貯め器７は例えばバケツのような形状である。
【００２３】
なお、排水による臭いや移動中の排水のこぼれを防ぐため、図７に示すとおり、当該排水受け貯め器７に耐水性のあるビニール袋９を被せ、当該ビニール袋９の中に凝固剤１０を入れ排水を固めることによって臭いや排水のこぼれを防ぐことができる。未使用時は当該ビニール袋９を排水受け貯め器７に入れた状態あるいは当該ビニール袋９の口を縛った状態で排水受け貯め器７の中に置き排水受け貯め器用のフタ７ａにより密閉する。
【００２４】
手洗いの用を終了すると、排水受け貯め器７の間口を上記に説明した方法にて密閉し、設置のための取り出し手順とは逆の手順により、排水側のフタ２、給水タンク５を元の配置に戻し、給水側のフタ３を閉めて図３、４、６のように元の状態となる。
【００２５】
排水受け貯め器７の排水を処分するときは、排水受け貯め器７が満水にならないうちに、また不衛生になる前に、洗面所やトイレなど外部の排水溝に排水を流し、当該排水受け貯め器７の中を洗浄清掃する。
【００２６】
排水がビニール袋９の中に凝固されていれば、ビニール袋９ごとゴミとして処分することが可能となり、排水受け貯め器７の中を汚すことが極めて少なく衛生的に保つことができる。   
【００２７】
上記に説明した給水タンク５、水受け器６及び排水受け貯め器７は収納ボックス１内に備え、さらに当該器類を清掃する道具あるいは排水受け貯め器７に被せる耐水性のビニール袋９と凝固剤１０も、当該収納ボックス１にすべて収納することで、手洗い場の持ち運びを簡便に実現する。
【００２８】
なお図面上、水受け器６および排水受け貯め器７を立方体の形状で記載しているが、これに限定するものではない。
【００２９】
以上に説明したように本考案を構成することにより、清潔で衛生的、かつ電気を必要としない移動式手洗器を実現することが可能となる。
【産業上の利用可能性】
【００３０】
本考案は移動式手洗器、詳しくは給水タンク５、水受け器６及び排水受け貯め器７とを備えた移動式手洗器に関し、これら給水および排水に関わる必要器具の一式を収納し移動させることが可能な電気を必要としない移動式手洗器に関する。
【符号の説明】
【００３１】
１……収納ボックス
２……排水側のフタ
３……給水側のフタ
４……仕切り板
５……給水タンク
６……水受け器
６ａ…水受け器設置具
７……排水受け貯め器
７ａ…排水受け貯め器用のフタ
８……排水口
８ａ…排水栓
９……ビニール袋
１０…凝固剤
【図１】
0003211230.tif 000003
【図２】
0003211230.tif 000004
【図３】
0003211230.tif 000005
【図４】
0003211230.tif 000006
【図５】
0003211230.tif 000007
【図６】
0003211230.tif 000008
【図７】
0003211230.tif 000009